(57)【要約】【課題】  低階調印刷において、電子透かし情報の安定した検出を可能とする。【解決手段】  電子透かし埋め込み画像生成手段は、入力されるデジタル画像を設定される印刷階調に合わせて減色して印刷階調画像を生成し、続いて印刷階調画像に電子透かし情報を埋め込み初期電子透かし埋め込み画像を生成し、初期電子透かし埋め込み画像と前記印刷階調画像との差分画像を生成し、当該差分画像を印刷階調に合わせて減色し、ここで減色されたデジタル画像と合成して電子透かし埋め込み済み画像を生成する。【選択図】      図２
2005269039.tif 000002
【特許請求の範囲】
【請求項１】
デジタル画像に電子透かし情報を埋め込み、電子透かし埋め込み済み画像を生成して印刷を行う印刷物対応電子透かし埋め込み装置であって、
前記電子透かし情報を印刷階調に合わせて印刷可能な変化量に変換し、前記電子透かし埋め込み済み画像を生成する電子透かし埋め込み画像生成手段、
を備えたことを特徴とする印刷物対応電子透かし埋め込み装置。
【請求項２】
前記電子透かし埋め込み画像生成手段は、
入力されるデジタル画像を設定される印刷階調に合わせて減色して印刷階調画像を生成する印刷階調画像生成部と、
前記印刷階調画像に電子透かし情報を埋め込み初期電子透かし埋め込み画像を生成する電子透かし埋め込み部と、
前記初期電子透かし埋め込み画像と前記印刷階調画像との差分画像を生成する差分画像生成部と、
前記差分画像を前記印刷階調に合わせて減色し、当該減色された差分画像と前記生成済みの印刷階調画像とを合成して前記電子透かし埋め込み済み画像を生成する画像生成部と、
を備えたことを特徴とする請求項１に記載の印刷物対応電子透かし埋め込み装置。
【請求項３】
前記差分画像生成部は、
前記差分画像の絶対値の最大もしくは平均値を色差閾値として前記印刷階調への色差変換を行い、当該変換結果に基づき色変化を再現することを特徴とする請求項２に記載の印刷物対応電子透かし埋め込み装置。
【請求項４】
デジタル画像に電子透かし情報を埋め込み、電子透かし埋め込み済み画像を生成して印刷を行う印刷物対応電子透かし埋め込み方法であって、
入力されるデジタル画像を設定される印刷階調に合わせて減色して印刷階調画像を生成するステップと、
前記印刷階調画像に電子透かし情報を埋め込み初期電子透かし埋め込み画像を生成するステップと、
前記初期電子透かし埋め込み画像と前記印刷階調画像との差分画像を生成するステップと、
前記差分画像を前記印刷階調に合わせて減色し、当該減色された差分画像と前記生成済みの印刷階調画像とを合成して前記電子透かし埋め込み済み画像を生成するステップと、
を有することを特徴とする印刷物対応電子透かし埋め込み方法。
【請求項５】
デジタル画像に電子透かし情報を埋め込み、電子透かし埋め込み済み画像を生成して印刷を行う印刷物対応電子透かし埋め込み装置に用いられるプログラムであって、
入力されるデジタル画像を設定される印刷階調に合わせて減色して印刷階調画像を生成する処理と、
前記印刷階調画像に電子透かし情報を埋め込み初期電子透かし埋め込み画像を生成する処理と、
前記初期電子透かし埋め込み画像と前記印刷階調画像との差分画像を生成する処理と、
前記差分画像を前記印刷階調に合わせて減色し、当該減色された差分画像と前記生成済みの印刷階調画像とを合成して前記電子透かし埋め込み済み画像を生成する処理と、
をコンピュータに実行させるプログラム。
【発明の詳細な説明】
【技術分野】
【０００１】
本発明は、デジタル画像に電子透かし情報を埋め込み、電子透かし埋め込み済み画像を生成して印刷を行う、印刷物対応電子透かし埋め込み装置および方法ならびにプログラムに関する。
【背景技術】
【０００２】
「電子透かし」技術を印刷物に応用した印刷物対応電子透かし技術が存在する。これは、デジタル製版工程で処理される画像情報を印刷物になったときに肉眼では認識できない形で変更し、電子透かし用の識別情報を埋め込むものである。絵柄や色など印刷物の仕上がりにはほとんど影響がなく、人間の肉眼ではその違いが認識できない。この印刷物に関し、スキャナなどを用いて再びデジタル化し、専用のソフトウェアに入力すると、埋め込まれた電子透かし情報を検出することが可能になる（例えば、特許文献１、特許文献２参照）。
【０００３】
ところで、一般的な画像への電子透かし情報の埋め込みは、主に、ＲＧＢ画像の各色２５６値に対して処理しており、ほぼ同様の階調、または色変化を実現できるような解像度で印刷されることを前提としている。この場合、ＲＧＢ画像のデジタルデータと、印刷に対応したＣＭＹＫ画像との差は考慮されている。
上記したように、デジタル画像への電子透かし情報の埋め込みは、人に認識できない程度に画像を劣化させることにより行われる。従って、２５６階調のデジタル画像に対して電子透かし情報を埋め込むとき、最終的に生成される画像の各画素における色の値は、元画像に比べ±５程度しか変化しない。但し、色変化の激しい柄等ではこれ以上変化する場合もある。ちなみに、通常使用されている、ＢＭＰ（Bit MaP）、ＪＰＥＧ（Joint Photographic Expert Group）、ＥＰＳ（Encapsulated PostScript file）等のＲＧＢ画像、ＣＭＹＫ画像では、各色の値（Ｒ，Ｇ，Ｂ，Ｃ，Ｍ，Ｙ，Ｋ）は２５６階調で使用されている。
【０００４】
しかしながら、印刷物の場合、デジタル画像よりも低い階調で印刷されることが多い。特に、極端に印刷階調が少ない場合、電子透かしにより変化された色値も、印刷すると全く同じ色で印刷され、変化が認識できなきなる。その結果、埋め込んだ電子透かし情報が印刷物から検出することができなくなり、電子透かし情報を埋め込んだ意味がなくなってしまう。
図１２に、一色の画像に電子透かし情報を埋め込む例が示されている。ここでは、デジタル画像を２５６階調で印刷した場合と、６４階調で印刷した場合における色変化の再現の様子を示している。図１２に示した例によれば、２５６階調で印刷されたものは色変化を忠実に再現するため電子透かしが検出でき、６４階調で印刷されたものは色変化の再現ができず、このため、電子透かしの検出ができていない。
【特許文献１】特開２００１−１５７０２２号公報
【特許文献２】特開２００２−６４７００号公報
【発明の開示】
【発明が解決しようとする課題】
【０００５】
解像度が高い場合には、色数が少なくても、網点等の細かさにより、擬似的に階調を実現できる。しかしながら、解像度が低い場合には難しい。また、画像データに電子透かし情報を埋め込むことにより、画像データに微小の変化が生じる。
しかながら、低階調の印刷物では上記したように、その変化を正確に表すことができず、微小に色が異なっていても、同じ色として印刷することになる。このため、従来、低階調の印刷物から電子透かし情報を検出することができなかった。
【０００６】
本発明は上記事情に鑑みてなされたものであり、デジタル画像に埋め込む電子透かし情報を、印刷する階調に合わせて色の変化量を調整し、低階調印刷においても印刷可能な変化量として電子透かし埋め込み済み画像を生成することにより、電子透かし情報の安定した検出を可能とした、印刷物対応電子透かし埋め込み装置および方法ならびにプログラムを提供することを目的とする。
【課題を解決するための手段】
【０００７】
上記した課題を解決するために本発明は、デジタル画像に電子透かし情報を埋め込み、電子透かし埋め込み済み画像を生成して印刷を行う印刷物対応電子透かし埋め込み装置であって、前記電子透かし情報を印刷階調に合わせて印刷可能な変化量に変換し、前記電子透かし埋め込み済み画像を生成する電子透かし埋め込み画像生成手段、を備えたことを特徴とする。
【０００８】
また、本発明は、前記電子透かし埋め込み画像生成手段は、入力されるデジタル画像を設定される印刷階調に合わせて減色して印刷階調画像を生成する印刷階調画像生成部と、前記印刷階調画像に電子透かし情報を埋め込み初期電子透かし埋め込み画像を生成する電子透かし埋め込み部と、前記初期電子透かし埋め込み画像と前記印刷階調画像との差分画像を生成する差分画像生成部と、前記差分画像を前記印刷階調に合わせて減色し、当該減色された差分画像と合成して前記電子透かし埋め込み済み画像を生成する画像生成部と、を備えたことを特徴とする。
【０００９】
また、本発明において、前記差分画像生成部は、前記差分画像の絶対値の最大もしくは平均値を色差閾値として前記印刷階調への色差変換を行い、当該変換結果に基づき色変化を再現することを特徴とする。
【００１０】
また、本発明は、デジタル画像に電子透かし情報を埋め込み、電子透かし埋め込み済み画像を生成して印刷を行う印刷物対応電子透かし埋め込み方法であって、入力されるデジタル画像を設定される印刷階調に合わせて減色して印刷階調画像を生成するステップと、前記印刷階調画像に電子透かし情報を埋め込み初期電子透かし埋め込み画像を生成するステップと、前記初期電子透かし埋め込み画像と前記印刷階調画像との差分画像を生成するステップと、前記差分画像を前記印刷階調に合わせて減色し、当該減色された差分画像と前記生成済みの印刷階調画像とを合成して前記電子透かし埋め込み済み画像を生成するステップと、を有することを特徴とする。
【００１１】
また、本発明は、デジタル画像に電子透かし情報を埋め込み、電子透かし埋め込み済み画像を生成して印刷を行う印刷物対応電子透かし埋め込み装置に用いられるプログラムであって、入力されるデジタル画像を設定される印刷階調に合わせて減色して印刷階調画像を生成する処理と、前記印刷階調画像に電子透かし情報を埋め込み初期電子透かし埋め込み画像を生成する処理と、前記初期電子透かし埋め込み画像と前記印刷階調画像との差分画像を生成する処理と、前記差分画像を前記印刷階調に合わせて減色し、当該減色された差分画像と前記生成済みの印刷階調画像とを合成して前記電子透かし埋め込み済み画像を生成する処理と、をコンピュータに実行させることを特徴とする。
【発明の効果】
【００１２】
本発明によれば、電子透かし埋め込み画像生成手段が、デジタル画像に付加する電子透かし情報に関し、印刷する階調に合わせて色の変化量を調整し、低階調印刷においても印刷可能な変化量として電子透かし埋め込み済み画像を生成するため、電子透かし情報の検出精度を、カラー画像をそのまま低階調印刷するよりも高くすることが可能となる。
【００１３】
また、本発明によれば、入力されるデジタル画像を設定される印刷階調に合わせて減色して印刷階調画像を生成し、続いて印刷階調画像に電子透かし情報を埋め込み初期電子透かし埋め込み画像を生成し、初期電子透かし埋め込み画像と前記印刷階調画像との差分画像を生成し、当該差分画像を印刷階調に合わせて減色し、ここで減色されたデジタル画像と合成して電子透かし埋め込み済み画像を生成する。このことにより、低階調の印刷物、例えば、フレキソ印刷（段ボール箱）や低品質の印刷物に電子透かし情報を埋め込むことができる。また、バーコードとは異なり、デザインの一部も無駄にすることなく、商品の一部に識別情報を電子透かし情報として持たせることができ、その内容を秘密に保持することが可能となる。
更に、差分画像生成部が、差分画像の絶対値の最大もしくは平均値を色差閾値として印刷階調への色差変換を行い、当該変換結果に基づき色変化を再現することで、低階調の印刷物に電子透かし情報を埋め込み、当該電子透かし情報を安定して検出できるようになる。
【発明を実施するための最良の形態】
【００１４】
図１は、本発明実施形態にかかわる印刷物対応電子透かし埋め込み方法を説明するために引用した図である。
図１に示されるように、本発明の印刷物対応電子透かし埋め込み方法によれば、まず、入力されるデジタル画像（ａ）を設定される印刷階調に合わせて減色して印刷階調画像を生成する（ｂ）。そして、印刷階調画像をＣＭＹＫに分解する処理（ｃ）と並行して印刷階調画像に電子透かし情報を埋め込み初期電子透かし埋め込み画像を生成する（ｄ）。
続いて、初期電子透かし埋め込み画像と印刷階調画像との差分画像を生成する（ｅ）。次に、その差分画像をＣＭＹＫに分解して（ｆ）、差分画像を印刷階調に合わせて減色し（ｇ）、当該減色されたデジタル画像と、先に生成した印刷階調画像とを合成（ｈ）して電子透かし埋め込み済み画像を生成している（ｉ）。
【００１５】
図２は、本発明実施形態にかかわる印刷物対応電子透かし埋め込み装置の内部構成の一例を示すブロック図である。
本発明の印刷物対応電子透かし埋め込み装置は、デジタル画像に付加する電子透かし情報に関し、印刷する階調に合わせて色の変化量を調整し、低階調印刷においても印刷可能な変化量として電子透かし埋め込み済み画像を生成する電子透かし埋め込み画像生成手段を備え、この電子透かし埋め込み画像生成手段は、画像データ記憶部２１と、印刷階調設定部２２と、印刷階調画像生成部２３と、電子透かし埋め込み設定部２４と、電子透かし埋め込み部２５と、差分画像生成部２６と、印刷解像度差分画像変換部２７と、印刷解像度画像変換部２８と、画像合成部２９と、電子透かし埋め込み画像記憶部３０と、低階調画像印刷部３１で構成される。
【００１６】
画像データ記憶部２１には入力されるデジタル画像が格納される。印刷階調画像生成部２３は、画像データ記憶部２１から読み出される入力デジタル画像（図１のI）を印刷階調設定部２２により設定される印刷階調に基づき印刷階調画像（図１のII）を生成し、電子透かし埋め込み部２５および印刷解像度画像変換部２８へ供給する。
電子透かし埋め込み部２５は、電子透かし設定部２４によって設定される電子透かし埋め込み量のパラメータ、そして、電子透かし情報により当該電子透かし情報の埋め込み処理を行い、初期電子透かし埋め込み済み情報（図１の画像III）として差分画像生成部２６へ供給する。差分画像生成部２６には、他に、印刷開帳画像生成部２３によって生成される印刷階調画像が供給されており、ここで初期電子透かし埋め込み済み画像との差分を演算して印刷解像度差分画像変換部２７へ供給する（図１の画像IV）。
【００１７】
印刷解像度差分画像変換部２７で更にＣＭＹＫに分解され、印刷階調に合わせて減色した画像は、印刷解像度画像変換部２８により印刷階調画像をＣＭＹＫに分解した画像と共に画像合成部２９に供給され、画像合成部２９で合成して低階調印刷用電子透かし埋め込み画像を生成し、電子透かし埋め込み画像記憶部３０経由、低階調画像印刷部３１へ供給されて印刷のはこびとなる。
【００１８】
図３、図４は、図２に示す本発明実施形態にかかわる印刷物対応電子透かし埋め込み装置による電子透かし情報埋め込みの動作、検出動作のそれぞれを説明するために引用したフローチャートである。図３、図４はまた本発明のプログラムの処理手順も併せて示している。
以下、図３、図４に示すフローチャートを参照しながら、図２に示す本発明実施形態の動作について詳細に説明する。
【００１９】
図３に示すフローチャートにおいて、まず、印刷階調画像生成部２３は、画像データおよび電子透かし情報の取り込みを行う（Ｓ３１）。前者は画像データ記憶部２１から、後者は、電子透かし埋め込み設定部２４から取得する。また、このとき、印刷階調設定部２２により印刷階調が設定され、併せて取り込まれる（Ｓ３２）。このことにより、印刷階調画像生成部２３は、設定された印刷階調に併せて画像データの減色処理を行う（Ｓ３３）。ここで生成される印刷階調画像をαとする。
続いて、電子透かし埋め込み部２５による電子透かし埋め込み処理が実行される。このとき、電子透かし埋め込み設定部２４によりパラメータ（電子透かし埋め込み量）が設定される（Ｓ３６）。電子透かし埋め込み部２５では、電子透かし埋め込み量に基づき、印刷階調画像に対して電子透かし情報の初期埋め込み画像βを生成する（Ｓ３７）。なお、電子透かし埋め込み部２５による初期埋め込み画像の生成と、印刷解像度画像変換部２８による印刷階調画像のＣＭＹＫ分解処理（Ｓ３４）は並行して行われる。
【００２０】
次に、差分画像生成部２６で初期埋め込み画像βと印刷階調画像αの差分演算が実行され、ここで画素毎に差分値が求められる（Ｓ３８）。続いて、印刷解像度差分画像変換部２７で得られる印刷階調差分画像のＣＭＹＫへの分解（Ｓ３９）、ならびに印刷階調に合わせた更なる減色処理が実行され（Ｓ４０）、印刷階調度画像変換部２８による印刷階調画像のＣＭＹＫ分解の結果を待って（Ｓ４１）、画像合成部２９による両画像の合成が行われる（Ｓ４２）。
そして、画像合成部２９によって低階調、印刷用電子透かし埋め込み済み画像が生成され、電子透かし埋め込み画像記憶部３０に格納される。ここに格納された電子透かし埋め込み済み画像は、低階調画像印刷部３１によって印刷物に印刷される。
【００２１】
一方、図４に示す検出フローチャートにおいて、スキャナ、デジタルカメラ等により印刷物をＡ／Ｄ変換してデジタル画像を取り出し（Ｓ５１、Ｓ５２）、通常の電子透かし情報検出処理を実行する（Ｓ５３）。
【００２２】
ここで、電子透かし情報の埋め込み手順と、電子透かし情報の検出手順について補足説明を行う。
図５に、本発明の印刷物対応電子透かし埋め込み装置による電子透かし情報埋め込みの詳細手順が示されている。
図５において、２５４は原画像データである。この原画像データ２５４をフーリエ変換（２５５）することにより、ブロック分割（２５６）、色空間変換（２５５７）を経て振幅データ２５８および位相情報２５９を得ることができる。２５１は、原画像データ２５４に埋め込む電子透かし情報である。この電子透かし情報２５１をスペクトラム拡散（２６３）することによって拡散された電子透かし情報が得られる。次に、拡散された電子透かし情報を振幅データ２５８に合成する（２６５）。さらに、位相情報３５９を用いて逆フーリエ変換（２６４）を実行し、このことにより電子透かし情報を合成した画像データが得られる。
【００２３】
一方、電子透かし情報の合成によるノイズを画像の局所的な特徴に合わせることでノイズを低減させるために、原画像データ３５４をウェーブレット変換し（２６０）、原画像データ２５４はサブバンド画像に分解され、互いに直交する部分画像で表される。そして、この部分画像を基に原画像２５４と同じ大きさのエネルギーマップデータを得る（２６１：高周波エネルギー算出）。
次に、先に逆フーリエ変換（２６４）の処理によって得られた電子透かし情報を合成した画像と原画像データ２５４との差分を求める（２６７）。更に、上記したエネルギーマップデータ重みマスク作成（２６２）の処理を行い、再度、電子透かし情報を原画像データ３５４に合成する（２６８、２６９）。このようにして、電子透かし埋め込み済み画像データが得られ、電子透かし埋め込み画像記憶部３０に格納される。
【００２４】
なお、上記のように埋込まれた電子透かし情報を検出する場合は以下の手順に従う。つまり、電子透かし検出対象となる電子透かし埋め込み済み画像データは、例えば、印刷物をスキャナなどでスキャンすることによって得られたデジタルデータである。電子透かし埋め込み済み画像データを離散フーリエ変換（図示せず）することにより、同画像データの振幅データが得られる。一方、擬似乱数系列を基に、シンボル値検出用系列が得られる。次に、上記した振幅データとシンボル値検出用系列とを基に、シンボルレスポンス値を算出する処理を行い、シンボル値検出を行う。このように得られたシンボル値に対して、基数変換を行い、検出された電子透かし情報を得る。
【００２５】
図６は、印刷階調設定部２２により設定される印刷階調設定の仕方の一例を示す。ここでは、（ａ）に示すように、０〜２５５までの値を連続して持つ画像を例とし、色差４（６４階調）、８（３２階調）、１２８（２階調）等、印刷階調が均等な場合に対応するものとする。（ｂ）に均等４階調の場合、（ｃ）に３階調の場合を示す。
【００２６】
図７、図８に、印刷階調画像生成部２３による減色の方法が概念的に示されている。図７に示す例は、色差が色差閾値の２倍より小さい場合、図８に示す例は、３値画像の場合であって、色差が色差閾値の２倍より大きい場合を例示している。ここで、「色差閾値」とは、差分画像生成部２６が生成する差分画像の絶対値の最大もしくは平均値をいう。
【００２７】
図７において、点線枠内は２５６値での差分値が示されており、中央に０が割当てられ、左右にそれぞれ＋−の差分値が割当てられている。ここでは印刷階調を３２階調で表現する場合を示し、色差１〜７の範囲は色差８に、９〜１５の範囲は１６に色差変換されることを示している。
図９には、全画素の値が１２８の場合を示し、（ａ）に示される２５６階調時の元画像と電子透かし埋め込み画像の色差をそのまま印刷した場合、（ｂ）に示されるように、３２階調印刷時の元画像と印刷物の色差から色変化は殆どない。一方、印刷階調に併せて印刷した場合、（ｃ）に示されるように、３２階調への色差変換を経由して（ｄ）に示されるように、３２階調印刷時の元画像と印刷物の色差により色変化が再現される。
【００２８】
図８において、図７同様、点線枠内は２５６値での差分値が示されており、中央に０が割当てられ、左右にそれぞれ＋−の差分値が割当てられている。ここでは印刷階調を３階調で表現する場合を示し、−は−１、＋は＋１、０に色差変換されることを示している。
図１０に全画素の色値が１２８の場合を示し、（ａ）に示される２５６階調時の元画像と電子透かし埋め込み画像の色差をそのまま印刷した場合、（ｂ）に、３階調印刷時の元画像と印刷物の色差が示されるように色変化は殆どない。一方、印刷階調に併せて印刷した場合、（ｃ）に示される印刷対応への色差フラグを経由して（ｄ）に示されるように、３階調印刷時の元画像と印刷物の色差により色変化が再現されている。
【００２９】
図１１に、画像合成部２９による画像合成方法（色差フラグと元画像の合成）の動作概念が示されている。ここでは、印刷階調が３の場合を示し、（ａ）は元画像、（ｂ）は３値画像、（ｃ）は色差フラグ、（ｄ）は色差フラグと元画像の合成である３階調時の電子透かし埋め込み済み画像を示す。
３階調の場合、色差が１のとき、指定色の次に大きな色値（例：１２８→２５５）、指定色が最大値の場合はそのまま（例：２５５→２５５）、色差が−１のとき、指定色の次に小さな色値（例：１２８→０）、指定色が最小値の場合はそのまま（例：０→０）、色差が０のとき、指定色のままの色値（例：１２８→１２８）となる。
【００３０】
以上説明のように本発明はデジタル画像に埋め込む電子透かし情報に関し、印刷する階調に合わせて色の変化量を調整し、低階調印刷においても印刷可能な変化量として電子透かし埋め込み済み画像を生成するものであり、このことにより、電子透かし情報の検出精度がカラー画像をそのまま低階調印刷するよりも高くなる。
【００３１】
なお、低階調印刷物への応用例として、段ボールへの印刷が考えられる。段ボールは、主に、フレキソ印刷を用いており、オフセット印刷のような細かい階調のある印刷はできない。従って、従来、通常の電子透かし埋め込み処理による色変化を、印刷時に再現することができなかったが、本発明により容易に再現可能となる。このことにより、例えば、商品に商品の固有情報を持たせることができる秘密に扱うことができる。具体的に、電子透かし情報として識別情報を設定することにより、商品から識別情報を収得できる。バーコードとは異なり、デザインを保ったまま、隠し情報を持たせられる。
本発明によれば、情報が書かれていることが判りにくく、仮に情報が書かれていることが判っても内容まで含めて知られることはない。従来、識別情報の管理としてバーコード（１次元、２次元）を利用することが普及しているが、バーコードは仕様が公開されているため、人によっては記述内容が解読され、また。バーコード用の領域が必要であることからデザインの一部をバーコード貼付のために割当てる必要があったが、本発明により実現される電子透かし埋め込み装置によれば、これらの不都合は全て解消される。
【００３２】
なお、図２に示す画像データ記憶部２１、印刷階調設定部２２、印刷階調画像生成部２３、電子透かし埋め込み設定部２４、電子透かし埋め込み部２５、差分画像生成部２６、印刷解像度差分画像変換部２７、印刷解像度画像変換部２８、画像合成部２９、電子透かし埋め込み画像記憶部３０、低階調画像印刷部３１のそれぞれで実行される手順をコンピュータ読み取り可能な記録媒体に記録し、この記録媒体に記録されたプログラムをコンピュータシステムに読み込ませ、実行することによっても本発明を実現することができる。ここでいうコンピュータシステムとは、ＯＳや周辺機器等のハードウェアを含む。
【００３３】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３４】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３５】
【図１】本発明の印刷物対応電子透かし埋め込み方法を説明するために引用した図である。
【図２】本発明実施形態にかかわる印刷対応電子透かし埋め込み装置の内部構成の一例を示す図である。
【図３】本発明実施形態にかかわる動作を説明するために引用したフローチャートである。
【図４】本発明実施形態にかかわる動作を説明するために引用したフローチャートである。
【図５】本発明実施形態にかかわる電子透かし情報埋め込みの手順を説明するために引用した図である。
【図６】本発明実施形態にかかわる印刷階調設定処理の動作概念を説明するために引用した図である。
【図７】本発明実施形態にかかわる減色処理の一例の動作概念を説明するために引用した図である。
【図８】本発明実施形態にかかわる減色処理の他の例の動作概念を説明するために引用した図である。
【図９】図７に従い、印刷物に従来同様に印刷した場合と、本発明により印刷した場合とを比較して示した図である。
【図１０】図８に従い、印刷物に従来同様に印刷した場合と、本発明により印刷した場合とを比較して示した図である。
【図１１】本発明実施形態にかかわる色差フラグと元画像の合成について動作概念を示した図である。
【図１２】デジタルデータを２５６階調で印刷した場合と６４階調で印刷した場合における色変化の再現の様子を説明するために引用した図である。
【符号の説明】
【００３６】
２１…画像データ記憶部、２２…印刷階調設定部、２３…印刷階調画像生成部、２４…電子透かし埋め込み設定部、２５…電子透かし埋め込み部、２６…差分画像生成部、２７…印刷解像度差分画像変換部、２８…印刷解像度画像変換部、２９…画像合成部、３０…電子透かし埋め込み画像記憶部、３１…低階調画像印刷部
【図１】
2005269039.tif 000003
【図２】
2005269039.tif 000004
【図３】
2005269039.tif 000005
【図４】
2005269039.tif 000006
【図５】
2005269039.tif 000007
【図６】
2005269039.tif 000008
【図７】
2005269039.tif 000009
【図８】
2005269039.tif 000010
【図９】
2005269039.tif 000011
【図１０】
2005269039.tif 000012
【図１１】
2005269039.tif 000013
【図１２】
2005269039.tif 000014